(57)【要約】【課題】  設置が容易であるにもかかわらず、優れた鳥類防除効果を奏することのできる鳥類防除具を低コストで提供する。【解決手段】  鳥害防止対象箇所５０へ鳥類が侵入するのを防止するために鳥害防止対象箇所５０の周辺に張設される鳥類防除具１０を、略水平方向に張設される緯糸１１と、緯糸１１から所定間隔を隔てて垂下される複数本の経糸１２とで構成した。緯糸１１及び経糸１２は、直径０．０１〜１ｍｍの合成樹脂製フィラメント又は天然繊維糸とすることが好ましい。また、経糸１２の間隔は、１〜５０ｃｍとすることが好ましい。さらに、経糸１２の垂下長は、５０ｃｍ〜３ｍとすることが好ましい。【選択図】  図１
2019058080.tif 000002
【特許請求の範囲】
【請求項１】
鳥害防止対象箇所へ鳥類が侵入するのを防止するために鳥害防止対象箇所の周辺に張設される鳥類防除具であって、
略水平方向に張設される緯糸と、
緯糸から所定間隔を隔てて垂下される複数本の経糸と、
で構成されたことを特徴とする鳥類防除具。
【請求項２】
緯糸及び経糸が、直径０．０１〜１ｍｍの合成樹脂製フィラメント又は天然繊維糸である請求項１記載の鳥類防除具。
【請求項３】
経糸の間隔が、１〜５０ｃｍとされた請求項１又は２記載の鳥類防除具。
【請求項４】
経糸の垂下長が、５０ｃｍ〜３ｍとされた請求項１〜３いずれか記載の鳥類防除具。
【請求項５】
緯糸に対して経糸の上端部が結着、接着又は溶着された請求項１〜４いずれか記載の鳥類防除具。
【請求項６】
請求項１〜５いずれか記載の鳥類防除具を用いて鳥害防止対象箇所への鳥類の侵入を防止する鳥類防除方法。
【請求項７】
一の鳥類防除具と他の鳥類防除具とが異なる高さとなるように鳥類防除具を多重に張設する請求項６記載の鳥類防除方法。
【発明の詳細な説明】
【技術分野】
【０００１】
本発明は、鳥害防止対象箇所へ鳥類が侵入するのを防止するために鳥害防止対象箇所の周辺に張設される鳥類防除具と、この鳥類防除具を用いて鳥害防止対象箇所への鳥類の侵入を防止する鳥類防除方法とに関する。
【背景技術】
【０００２】
農作物を食い荒らされたり、建物や自動車に糞をされたりといった鳥害を防ぐため、鳥類の侵入を防止したい箇所（鳥害防止対象箇所）へ鳥害防除具を設置することが行われている。鳥害防除具としては、これまでに、特殊な模様を施したテープ（例えば特許文献１を参照）や、光を反射するテープ（例えば特許文献２を参照）が知られている。この種の鳥害防除具は、比較的容易に設置できるものではあったが、必ずしも優れた鳥類防除効果を発揮できるものとは言えなかった。特に、高い学習能力を有する頭の良い鳥に対しては、設置からある程度期間が経過すると鳥類防除効果が奏されなくなる虞がある。
【０００３】
また、鳥類防除具としては、駆動部分を有するもの（例えば特許文献３を参照）も知られている。この種の鳥類防除具も、頭の良い鳥に対する防除効果に優れているとは言い難い。また、駆動部分を有する鳥類防除具は、高価であることが多く、鳥害防止対象箇所の面積が広い場合等には、その設置コストが膨大になるという欠点を有している。また、駆動部分を有する鳥類防除具は、高齢者等が自力で設置することが難しく、近年高齢化が進む農家で使用しにくいという欠点も有している。
【先行技術文献】
【特許文献】
【０００４】
【特許文献１】特開２００９−０８９６４５号公報
【特許文献２】特開２０１２−１８７１２５号公報
【特許文献３】特開２０１６−０１３１１８号公報
【発明の概要】
【発明が解決しようとする課題】
【０００５】
本発明は、上記課題を解決するために為されたものであり、設置が容易であるにもかかわらず、優れた鳥類防除効果を奏することのできる鳥類防除具を低コストで提供するものである。また、この鳥類防除具を用いて鳥害防止対象箇所への鳥類の侵入を防止する鳥類防除方法を提供することも本発明の目的である。
【課題を解決するための手段】
【０００６】
上記課題は、
鳥害防止対象箇所へ鳥類が侵入するのを防止するために鳥害防止対象箇所の周辺に張設される鳥類防除具であって、
略水平方向に張設される緯糸と、
緯糸から所定間隔を隔てて垂下される複数本の経糸と、
で構成されたことを特徴とする鳥類防除具
を提供することによって解決される。
【０００７】
本発明の鳥類防除具は、上記のように、緯糸と複数本の経糸とからなる簡素な構造のものであるため、低価格で提供することが可能なものとなっている。また、本発明の鳥類防除具は、緯糸の端部を柱材に結び付ける等すれば設置することができ、その設置が非常に容易なものとなっている。さらに、本発明の鳥類防除具は、鳥類防除効果も優れたものとなっている。
【０００８】
というのも、本発明者は、鳥害を防止するために、様々な方策を試していたところ、鳥類は、飛んでいるときの羽に何かが当たることを嫌がり、羽に何かが当たったときにはその場所から直ぐに飛び去り、その場所の周辺には二度と戻ってこなくなる習性を有していることを発見した。この点、垂下する経糸に鳥の羽が当たるようにすれば、鳥害防止対象箇所へ鳥類が立ち入らないようになると考え、本発明の鳥類防除具を開発し、その効果を試したところ、非常に優れた鳥類防除効果が確認されたからである。また、本発明の鳥類防除具において、経糸は、緯糸から垂下させただけのものであり、経糸の下端部はフリーな状態であるため、経糸に当たった鳥をむやみに傷つける虞もないものとなっている。
【０００９】
本発明の鳥類防除具において、緯糸及び経糸の太さは、その素材等によっても異なり、特に限定されない。しかし、緯糸及び経糸を細くしすぎると、緯糸や経糸が切れやすくなる等、必要な強度を緯糸や経糸に付与しにくくなる虞がある。このため、緯糸及び経糸の直径は、０．０１ｍｍ以上とすると好ましい。緯糸及び経糸の直径は、０．０５ｍｍ以上であるとより好ましく、０．１ｍｍ以上であるとさらに好ましい。
【００１０】
一方、緯糸及び経糸を太くしすぎると、その存在に鳥類が気付きやすくなり、鳥類が緯糸や経糸を避けて鳥害防止対象箇所へ侵入するようになる虞がある。すなわち、鳥類の上記の習性は、その羽に当たったものが何なのかを理解できないようにした方（鳥類を驚かせた方）が好適に発揮されるようになると推測されるところ、緯糸や経糸が目立つと、上記の習性が発揮されにくくなる虞がある。このため、緯糸及び経糸の直径は、１ｍｍ以下とすると好ましい。緯糸及び経糸の直径は、０．７ｍｍ以下であるとより好ましく、０．５ｍｍ以下であるとさらに好ましい。
【００１１】
本発明の鳥類防除具において、緯糸及び経糸の素材も特に限定されない。緯糸及び経糸の素材としては、合成樹脂製フィラメントや天然繊維糸等が例示される。合成樹脂製フィラメントとしては、例えば、釣り糸（テグス）に用いられている、ナイロンやフロロカーボンといった単線の合成樹脂繊維や、さらに強度の高いＰＥラインと呼ばれる編み糸等を好適に使用することができる。また、天然繊維糸としては、タコ糸等に用いられる綿糸等を好適に使用することができる。緯糸及び経糸の色は、特に限定されないが、透明、緑色又は黒色等とすることが好ましい。緯糸及び経糸をこのような色にすることによって、鳥類が本発明の鳥類防除具の存在に気づきにくくすることが可能になるからである。
【００１２】
本発明の鳥類防除具において、経糸の間隔は、防除を行おうとする鳥の種類（体長）等によって異なり、特に限定されない。スズメやツバメ等、比較的小さな鳥の防除を行おうとする場合には、経糸の間隔は、狭く設定される。しかし、経糸の間隔を狭くしすぎると、経糸が目立ちやすくなる虞がある。このため、経糸の間隔は、１ｃｍ以上とすることが好ましい。経糸の間隔は、５ｃｍ以上とするとより好ましく、１０ｃｍ以上とするとさらに好ましい。
【００１３】
一方、カラス等、比較的大きな鳥の防除を行うとする場合には、経糸の間隔は、広く設定することができる。しかし、経糸の間隔を広くしすぎると、鳥の羽根に経糸が当たることなく、その鳥が鳥害防止対象箇所へ侵入できるようになる虞がある。このため、経糸の間隔は、５０ｃｍ以下とすることが好ましい。経糸の間隔は、４０ｃｍ以下とすることがより好ましく、３０ｃｍ以下とすることがさらに好ましい。
【００１４】
本発明の鳥類防除具において、経糸の垂下長（緯糸から垂下する部分の長さ。以下同じ。）も特に限定されない。しかし、経糸の垂下長を短くしすぎると、鳥の羽根に経糸が当たることなく、その鳥が鳥害防止対象箇所へ侵入できるようになる虞がある。このため、経糸の垂下長は、５０ｃｍ以上とすることが好ましい。経糸の垂下長は、１００ｃｍ以上とすることがより好ましく、１２０ｃｍ以上とすることがさらに好ましい。
【００１５】
一方、経糸の垂下長を長くしすぎると、鳥類防除具の収納時等において経糸が絡まりやすくなるだけでなく、鳥類防除具の設置が難しくなる虞もある。このため、経糸の垂下長は、３ｍ以下とすることが好ましい。経糸の垂下長は、２．５ｍ以下であることがより好ましく、２ｍ以下であることがさらに好ましい。
【００１６】
本発明の鳥類防除具において、緯糸に対する経糸の上端部の固定方法は、特に限定されない。緯糸に対する経糸の上端部の固定方法としては、結着、接着又は溶着等が例示される。しかし、結着による固定方法は、鳥類防除具を大量生産する場合に手間がかかる。このため、鳥類防除具を大量生産するのであれば、緯糸に対する経糸の上端部の固定方法は、接着か溶着を採用すると好ましい。接着による方法としては、緯糸と経糸との結合部分に、接着剤を塗布して固化する方法が例示され、溶着による方法としては、緯糸と経糸との結合部分に、溶融した樹脂を塗布して固化させる方法や、経糸又は緯糸自体を熱等により溶融した後固着する方法等が例示される。
【００１７】
以上で述べた本発明の鳥類防除具を鳥害防止対象箇所の周辺に張設すると、鳥害防止対象箇所への鳥類の侵入を防止することが可能になる。本発明の鳥害防除具は、鳥害防止対象箇所を囲むように張設すると好ましい。また、本発明の鳥類防除具は、同じ高さで一重に張設してもよいが、一の鳥類防除具と他の鳥類防除具とが異なる高さとなるように鳥類防除具を多重（多段）に張設することも好ましい。これにより、羽に経糸が触れることなく鳥類が鳥害防止対象箇所へ入りにくくし、鳥害防止効果をさらに高めることが可能になる。
【発明の効果】
【００１８】
以上のように、本発明によって、設置が容易であるにもかかわらず、優れた鳥類防除効果を奏することのできる鳥類防除具を低コストで提供することが可能になる。また、この鳥類防除具を用いて鳥害防止対象箇所への鳥類の侵入を防止する鳥類防除方法を提供することも可能になる。
【図面の簡単な説明】
【００１９】
【図１】鳥害防止対象箇所の周辺に本発明の鳥類防除具を張設した状態を示した図である。
【図２】本発明の鳥類防除具を多段に張設した状態を示した図である。
【図３】本発明の鳥類防除具を示した図である。
【図４】本発明の鳥類防除具の収納形態の一例を示した図である。
【図５】本発明の鳥類防除具の収納形態の他例を示した図である。
【発明を実施するための形態】
【００２０】
本発明の鳥類防除具の好適な実施態様について、図面を用いてより具体的に説明する。図１は、鳥害防止対象箇所５０の周辺に本発明の鳥類防除具１０を張設した状態を示した図である。鳥類防除具１０は、図１に示すように、鳥害防止対象箇所５０への鳥類の侵入を防止することを目的として、鳥害防止対象箇所５０の周辺に張設される。鳥類防除具１０は、略水平方向に張設される緯糸１１と、緯糸１１から所定間隔を隔てて垂下される複数本の経糸１２とで構成されたものとなっている。
【００２１】
既に述べたように、鳥類は、飛んでいるときの羽に何かが当たることを嫌がり、羽に何かが当たったときにはその場所から直ぐに飛び去り、その場所の周辺には二度と戻ってこなくなる習性を有しているところ、本発明の鳥類防除具１０は、その経糸１２に鳥類の羽を触れさせることで、鳥害防止対象箇所５０へ鳥類が侵入しないようにする（仮に鳥害防止対象箇所５０へ侵入することがあったとしても、その場所から速やかに飛び去るようにする）ことで、鳥害防止対象箇所５０での鳥害を防止するものとなっている。
【００２２】
鳥類防除具１０の経糸１２における下端部は、上側の緯糸１１とは別の緯糸（図示省略）等に固定してもよいが、この場合には、経糸１１に鳥類が引っ掛かり、鳥類を傷つける虞がある。このため、本実施態様において、経糸１２の下端部は、他の部材等に固定されていない自由端としており、経糸１２に触れた鳥類をむやみに傷つけることがないようにしている。ただし、経糸１２の下端部を自由端とすると、経糸１２が風等によってなびいて浮き上がり、経糸１２が鳥類の羽に触れにくくなったり、経糸１２が絡みやすくなったりする虞がある。このため、それぞれの経糸１２の下端部には、錘部を固定することもできる。この錘部は、経糸１２とは別部材からなるものを固定して設けることもできるが、経糸１２の下端部を熱等により溶かして塊状にして固化させること等によって設けることもできる。
【００２３】
ところで、図１では、鳥害防止対象箇所５０として畑を図示しているが、鳥害防止対象箇所５０は、鳥類の侵入を防止する必要のある箇所であれば特に限定されず、建物や駐車場や庭等、畑以外の箇所とすることもできる。また、図１では、鳥類防除具１０の緯糸１１を、鳥害防止対象箇所５０（畑）の周辺に立設した杭２０の上部に結び付けることにより、鳥類防除具１０を張設している。しかし、鳥害防止対象箇所５０の周辺に樹木や建物等があるのであれば、その樹木や建物等に鳥類防除具１０の緯糸１１を結び付けるようにしてもよい。
【００２４】
さらに、図１では、鳥害防止対象箇所５０の全周部を囲むように鳥類防除具１０を張設しているが、鳥類防除具１０は、必ずしも、鳥害防止対象箇所５０の全周部を囲むように張設する必要はない。鳥類の侵入方向が、限られている等の事情がある場合には、その方向にのみ鳥類防除具１０を張設することも可能である。さらにまた、図１では、鳥類防除具１０を、同じ高さで一重に張設しているが、図２に示すように、一の鳥類防除具１０と他の鳥類防除具１０とが異なる高さとなるように、鳥類防除具１０を多重（多段）に張設することも好ましい。図２は、本発明の鳥類防除具１０を２段（多段）に張設した状態を示した図である。これにより、羽に経糸１２が触れることなく鳥類が鳥害防止対象箇所へ入りにくくし、鳥害防止効果をさらに高めることが可能になる。鳥類防除具１０は、３段や４段等、３段以上に張設することもできる。これにより、鳥害防止効果をより高めることが可能になる。
【００２５】
上述したように、本発明の鳥類防除具１０は、略水平方向に張設される緯糸１１と、緯糸１１から垂下される複数本の経糸１２とで構成される。図３は、本発明の鳥類防除具１０を示した図である。鳥類防除具１０における緯糸１１及び経糸１２は、互いに異なる素材によって形成してもよいが、本実施態様においては、同じ素材によって形成している。具体的には、緯糸１１及び経糸１２を、合成樹脂製フィラメントからなる釣り糸（テグス）としている。緯糸１１及び経糸１２の直径は、０．２〜０．３ｍｍ程度となっており、その色は透明となっている。このように透明なテグスで緯糸１１及び経糸１２を構成することによって、緯糸１１及び経糸１２を切れにくく強度に優れながらも、目立ちにくくすることが可能となっている。また、テグスは、可撓性を有しながらもある程度の弾性も有するため、経糸１２をテグスによって形成すると、隣り合う経糸１２を絡みにくくすることも可能になる。
【００２６】
緯糸１１に対する経糸１２の上端部の固定方法としては、既に述べたように、結着、接着又は溶着等が例示される。本実施態様においては、図３に示すように、緯糸１１と経糸１２との結合部分に、溶融した結束樹脂１３を塗布して固化させることによって、経糸１２の上端部を緯糸１１に固定（溶着）している。
【００２７】
隣り合う経糸１２の間隔Ｗ（図３）は、既に述べたように、１〜５０ｃｍ程度の範囲とすることが好ましいが、本実施態様においては、約２０ｃｍとしている。これにより、経糸１２の存在を目立ちにくくするだけでなく、小型の鳥類から大型の鳥類まで様々な種類の鳥類の羽が経糸１２に触れやすくすることができ、鳥類防除具１０の用途を広げることが可能となっている。また、経糸１２の垂下長Ｌ（図３）は、既に述べたように、５０ｃｍ〜３ｍの範囲とすることが好ましいが、本実施態様においては、約１．５ｍとしている。これにより、鳥類防除具１０を収納しやすく、且つ、設置しやすいものとしながらも、優れた鳥害防止効果を奏させることが可能となっている。
【００２８】
ところで、本発明の鳥類防除具１０は、複数本の経糸１２が垂下された構造を有するものであるため、収納時や設置時において、経糸１２が絡む虞があるものとなっている。この経糸１２の絡みは、以下のように、鳥類防除具１０の収納形態に工夫を施すことで防ぐことができる。
【００２９】
図４は、本発明の鳥類防除具１０の収納形態の一例を示した図である。図４に示す例において、鳥類防除具１０は、それ（鳥類防除具１０）を沿わせたシート３０をロール状に巻装することで収納された状態となっている。鳥類防除具１０を図４に示す収納形態とすることで、鳥類防除具１０の搬送時や販売時又は設置時において、経糸１２が絡まないようにすることが可能になる。この鳥類防除具１０を設置する際には、鳥類防除具１０をシート３０とともに繰り出すことにより、経糸１２を絡ませることなく、鳥類防除具１０を取り出すことができる。
【００３０】
図４に示す収納形態の鳥類防除具１０は、上下方向に所定間隔を隔てて略平行に配された上下一対の緯糸１１と、上側の緯糸１１に上端部を固定されて下側の緯糸１１に下端部を固定された複数本の経糸１２とで構成される鳥類防除具１０の原素材を、シート３０に沿わせた状態で巻装した後、その巻装体を上下方向中間部で切断することによって、１回の製造工程により、２つを得ることができる。シート３０における経糸１２が沿わされる側の面は、経糸１２が軽く接着するように、軽接着面としてもよい。
【００３１】
図５は、本発明の鳥類防除具１０の収納形態の他例を示した図である。図５に示す例において、鳥類防除具１０は、帯板状の基材４１と基材４１の上部から前方に立設された左右一対の突起部４２とからなる収納具４０に収納されている。すなわち、鳥類防除具１０における緯糸１１を、左右一対の突起部４２に「８」の字状に掛け回していくことにより鳥類防除具１０を収納している。鳥類防除具１０を図５に示す収納形態とすることによっても、鳥類防除具１０の設置時において経糸１２が絡まないようにすることが可能になる。この鳥類防除具１０を設置する際には、突起部４２の先端側から緯糸１１を繰り出すことにより、経糸１２を絡ませることなく、鳥類防除具１０を取り出すことができる。
【００３２】
また、図５に示すように、収納具４０に収納された状態の鳥類防除具１０を、そのまま箱や袋等の容器（図示省略）に収納することで、鳥類防除具１０の搬送時や販売時において、経糸１２が絡まないようにすることも可能になる。
【符号の説明】
【００３３】
１０    鳥類防除具
１１    緯糸
１２    経糸
１３    結束樹脂
２０    杭
３０    シート
４０    収納具
４１    基材
４２    突起部
５０    鳥害防止対象箇所
Ｌ    経糸の垂下長
Ｗ    隣り合う経糸の間隔
【図１】
2019058080.tif 000003
【図２】
2019058080.tif 000004
【図３】
2019058080.tif 000005
【図４】
2019058080.tif 000006
【図５】
2019058080.tif 000007